(57)【特許請求の範囲】
【請求項１】
水中バックホウのバックホウアームに、チルト装置を介してツインヘッダ式カッタヘッドを装着し、カッタヘッドを掘削法面に対応して傾斜可能にし、ツインヘッダ式カッタヘッドの上部及び周囲を覆うカバーを取り付け、そのカバーから掘削片を吸込み回収する吸込み装置に掘削片回収ネットを配設した海草除去および磯焼け対策用水中バックホウのアタッチメント。
【請求項２】
ツインヘッダ式カッタヘッドの左右のカッタヘッドの中央部に補助カッタを配設し、その補助カッタを、カッタヘッドの回転を駆動源として回転させるようにした請求項１に記載の海草除去および磯焼け対策用水中バックホウのアタッチメント。
【請求項３】
ツインヘッダ式カッタヘッドの外周に複数の柔軟性のあるスチールロッドを放射状に組み付けた請求項１に記載の海草除去および磯焼け対策用水中バックホウのアタッチメント。
【発明の詳細な説明】
【０００１】
【発明の属する技術分野】
本発明は、主として海草の除去や、磯焼け対策等に用いる海草除去および磯焼け対策用水中バックホウのアタッチメントに関する。
【０００２】
【従来の技術】
従来、水底面の雑草藻の除去や、サンゴ藻等の石灰藻類が水底で一面に張り付いた状態の磯焼け面の対策用には、重掘削装置を作業船で吊り下げて岩盤掘削を実施していたが、近年になって水中掘削機械の開発、実用化が見られるようになっている。
【０００３】
しかしながら、このような水中掘削機械は超大型機械であり、そのカッタの自由度も制約され、複雑な海底等の凹凸面に対する対応が困難であるという問題があった。
【０００４】
また、海底岩盤面に付着し繁殖している海洋有害生物や雑草藻の除去は、潜水夫が主体の人力作業であり、その除去作業能率がかなり悪いと共に、外洋に面した海域での作業が多くなるため、強い波浪や潮流を受け、潜水夫の危険度が高くなるという問題があった。
【０００５】
そこで、上記のごとき水底の藻除去作業に対して、バックホウのバックホウアームにツインヘッダを取り付け、人力作業によらずツインヘッダによって作業を機械化しようという試みが行なわれている。
【０００６】
しかしながら、ツインヘッダを海中作業に用いる場合には、バックホウアーム軸に直角な平面掘削でしかできないので、複雑で凹凸のある海底面に対応させるには問題があり、さらにツインヘッダの機構上、左右のカッタ間の中央部に掘削残しができることと、図６に示すごとくカッタヘッド５の掘削半径内にある岩盤２を、矢印Ｘで示すように不必要な面まで掘削してしまうという問題があった。
【０００７】
また、ツインヘッダを用いた海中掘削作業を行なうと、オープンカッタ型式であるため、掘削片が周辺の海域へ拡散し、海水の濁りを発生させるという問題があった。
【０００８】
【発明が解決しようとする課題】
本発明は、ツインヘッダ式カッタヘッドによる海底掘削時においても、凹凸の多い複雑な海底面に対応でき、左右のカッタヘッドの中央部の掘削残しをなくすると共に、掘削時の作業海域周辺の海水の濁りを防止できる海草除去および磯焼け対策用水中バックホウのアタッチメントを提供する。
【０００９】
【課題を解決するための手段】
本発明は、水中バックホウのバックホウアームに、チルト装置を介してツインヘッダ式カッタヘッドを装着し、カッタヘッドを掘削法面に対応して傾斜可能にし、ツインヘッダ式カッタヘッドの上部及び周囲を覆うカバーを取り付け、そのカバーから掘削片を吸込み回収する吸込み装置に掘削片回収ネットを配設した海草除去および磯焼け対策用水中バックホウのアタッチメントからなる。
【００１０】
さらに本発明の海草除去および磯焼け対策用水中バックホウのアタッチメントにおいては、ツインヘッダ式カッタヘッドの左右のカッタヘッドの中央部に補助カッタを配設し、その補助カッタを、カッタヘッドの回転を駆動源として回転させるようにしたり、ツインヘッダ式カッタヘッドの外周に複数に柔軟性のあるスチールロッドを放射状に組み付けたりすることをも特徴とする。
【００１１】
【発明の実施の形態】
以下図面を参照して本発明の水中バックホウのアタッチメントの実施の形態を説明する。
【００１２】
図１はその一実施形態におけるアタッチメントを説明する正面図であり、図示されていない水中バックホウのバックホウアーム３に対し、チルト装置４を介して、左右のカッタヘッド５からなるツインヘッダ式カッタヘッドを装着したものである。
【００１３】
上記チルト装置４は、バックホウアーム３にカッタ起伏ジャッキ６、カッタチルトピン７及びカッタチルトジャッキ８を介して各カッタヘッド５を傾斜可能に装着しており、これによりカッタヘッド５を岩盤２の掘削法面に対応して、図中の２点鎖線に示すごとく傾斜可能にしている。
【００１４】
次に、図２の正面図およびその要部概略の側面図の図３に示す本発明の他の実施形態においては、図１と同様なツインヘッダ式カッタヘッドの左右のカッタヘッド５の中央部に補助カッタ９を配設し、この補助カッタ９を、カッタヘッド５の矢印Ｒの回転を駆動源として矢印Ｓのごとく回転させ、左右のカッタヘッド５の間の矢印Ｂの堀残し軌跡の部分をこの補助カッタ９で掘削するようにしている。
【００１５】
上記のカッタヘッド５による補助カッタ９の回転は、両カッタヘッド５の内側面に円周上に設けられた補助カッタ駆動ピン１０から補助カッタ９の上面に円周上に設けられた補助カッタピニオン１１を介して行なわれるが、この駆動機構は特にこの実施形態のものに限定されるものではなく、他の機構を用いてもよい。
【００１６】
また、図４の側面図に示す他の実施形態においては、上記と同様なツインヘッダ式カッタヘッド５の外周に複数の柔軟性のあるスチールロッド１２を放射状に組み付けており、このスチールロッド１２が岩盤２の表面のみを限定して削り込むことが可能となり、図６の従来例で述べたごとく、カッタヘッド５の掘削半径内にある岩盤２を不必要な面まで掘削してしまうことがなくなる。
【００１７】
さらに、図５の実施形態においては、ツインヘッダ式カッタヘッド５の上部及び周囲を覆う拡散防止用のカバー１３を取り付け、そのカバー１３から、カッタヘッド５が岩盤２から削り取った掘削片を吸込み回収するために、バックホウ１４に沿わせたサクションホース１５、バックホウに搭載したサクションポンプ１６及び掘削片回収ネット１７からなる吸込み装置を配設したものであり、これによりカッタヘッド５による掘削片や、削り込んだ雑藻類が周辺海域へ拡散し、海水に濁りを発生することを防止している。
【００１８】
【発明の効果】
以上に説明したごとく、本発明の海草除去および磯焼け対策用水中バックホウのアタッチメントによれば、ツインヘッダ式カッタヘッドによる海底掘削時において、凹凸の多い複雑な海底面に対応した掘削ができ、かつ左右のカッタヘッドの中央部も掘削残しがなく掘削が行なわれると共に、またカッタヘッドの掘削半径内にある岩盤を不必要な面まで掘削してしまうことを防止できる。
【００１９】
さらに本発明では、カッタヘッドに拡散防止用のカバーを取り付け、掘削片の吸込み装置を配設することで、掘削海域周辺での掘削片の拡散を防止し、海水の濁り発生の防止をはかることができる。
【図面の簡単な説明】
【図１】本発明の水中バックホウのアタッチメントの一実施形態におけるツインヘッダ式カッタヘッドの説明用正面図である。
【図２】本発明の他の実施形態におけるツインヘッダ式カッタヘッドの正面図である。
【図３】図２の要部概略の説明用側面図である。
【図４】本発明のさらに他の実施形態におけるツインヘッダ式カッタヘッドの要部側面図である。
【図５】本発明のツインヘッダ式カッタヘッドのアタッチメントの他の実施形態の説明用側面図である。
【図６】従来のカッタヘッドによる岩盤掘削時の説明用側面図である。
【符号の説明】
３    バックホウアーム
４    チルト装置
５    カッタヘッド
９    補助カッタ
１２    スチールロッド
１３    カバー
１４    バックホウ
【図１】
0004526637.tif 000002
【図２】
0004526637.tif 000003
【図３】
0004526637.tif 000004
【図４】
0004526637.tif 000005
【図５】
0004526637.tif 000006
【図６】
0004526637.tif 000007